(57)【要約】【課題】  脱気作業時間の短縮化とその短縮化による生産性の向上を容易に図ることのできる液晶注入装置を提供する。【解決手段】  液晶Ｌが貯留される液晶溜め３を具備する液晶ボート２と、液晶溜め３の液晶Ｌに浸される繊維材料を撚った液晶吸引保持体４とを有している液晶注入装置であって、前記繊維材料をポリオレフィンとし、液晶溜め３の内部に、液晶吸引保持体４を下方から支持する保持体支持部材５を設ける。【選択図】      図１
2005181601.tif 000002
【特許請求の範囲】
【請求項１】
液晶が貯留される液晶溜めを具備する液晶ボートと、前記液晶溜めの液晶に浸される繊維材料を撚った液晶吸引保持体とを有している液晶注入装置において、
前記繊維材料がポリオレフィンであり、
前記液晶溜めの内部に、前記液晶吸引保持体を下方から支持する保持体支持部材が設けられていることを特徴とする液晶注入装置。
【請求項２】
前記保持体支持部材が、着脱可能である請求項１に記載の液晶注入装置。
【請求項３】
前記保持体支持部材が、ポリオレフィンにより形成されている請求項１または２に記載の液晶注入装置。
【請求項４】
前記保持体支持部材が、棒状であり、かつその長手方向に対して直交する幅方向の断面形状が前記液晶吸引保持体と対向する上辺が底辺より短い台形状である請求項１ないし３のいずれか１項に記載の液晶注入装置。
【請求項５】
前記保持体支持部材の表面に、液晶を前記液晶吸引保持体と前記保持体支持部材との接触部に導く液晶誘導手段が設けられている請求項１ないし４のいずれか１項に記載の液晶注入装置。
【請求項６】
前記液晶溜めの内部に、前記液晶吸引保持体の水平方向の位置決めを行う側方ガイドが設けられている請求項１ないし５のいずれか１項に記載の液晶注入装置。
【発明の詳細な説明】
【技術分野】
【０００１】
本発明は、空の液晶表示パネルに液晶を注入するのに好適な液晶注入装置に関する。
【背景技術】
【０００２】
従来から、情報を文字や図形などの各種の画像として表示する表示装置の一種として、液晶表示パネルを表示部に用いた液晶表示装置が知られている。この液晶表示装置に用いられる液晶表示パネルは、注入口を設けた空の液晶表示パネル（以下、空パネルと記す）を形成し、空パネルの内部に圧力差を利用して液晶を注入している。
【０００３】
前記空パネルの内部に液晶を注入する液晶注入装置としては、液晶を貯留する液晶溜めを具備する液晶ボートと、この液晶貯留槽から吸い上げる毛細管現象生成体および液晶を湿潤状態に保持する液晶保持面材とを有するものが提案されている（例えば、特許文献１参照）。
【０００４】
また、液晶注入装置として、液晶を貯留する液晶溜めを具備する液晶ボートと、液晶溜めに貯留された液晶に下部が浸漬される液晶溜めから液晶を吸い上げる毛細管現象生成体および液晶を湿潤状態に保持する液晶保持面材との機能を具備する繊維材料を撚った円柱状の液晶吸引保持体（ヤーン）とを有するものも提案されている（例えば、特許文献２参照）。
【０００５】
図８は従来の液晶注入方法に用いる液晶注入装置の一例を示すものであり、従来の液晶注入装置１０１は、盤状の液晶ボート１０２を有している。この液晶ボート１０２の上面には、液晶Ｌを貯留するための液晶溜め１０３が凹設されている。そして、液晶溜め１０３には、液晶Ｌを吸い上げて湿潤状態に保持する液晶吸引保持体１０４が着脱自在に載置されている。この液晶吸引保持体１０４は、グラスファイバーを撚った糸状であり、液晶溜め１０３に貯留された液晶Ｌに下部が浸漬されるようになっている。すなわち、液晶吸引保持体１０４の上部が液晶Ｌの液面の上方に露出されている。また、液晶注入装置１０１は、減圧槽Ｖの内部に配置されている。
【０００６】
このような構成からなる液晶注入装置１０１を用いた空パネルＰへの液晶注入は、空パネルＰの注入口Ｐ１を、液晶吸引保持体１０４と対向させるように減圧槽Ｖの内部の上方に配置し、その後減圧槽Ｖの内部を液晶Ｌの注入に必要な真空度に達するまで減圧する。ついで、減圧槽Ｖを減圧した状態で、図示しないパネル移動手段を駆動して、図８に想像線にて示すように、空パネルＰを下方に移動して、その注入口Ｐ１を液晶吸引保持体１０４の上部に接触させる。ついで、減圧槽Ｖの減圧状態を解除して減圧槽Ｖの内部を大気圧に戻すことにより、毛細管現象と圧力差とを利用して液晶溜め１０３に貯留された液晶Ｌを、注入口Ｐ１を介して空パネルＰの内部に送り込んで注入し、空パネルＰに対する液晶Ｌの注入を終了するようになっている。
【０００７】
また、従来の液晶注入装置１０１を用いた空パネルＰへの液晶Ｌの注入においては、液晶吸引保持体１０４の内部、詳しくは液晶吸引保持体１０４を構成する繊維と繊維との間に存在する気体を除去するための脱気作業が必要である。この脱気作業は、空パネルＰへの液晶Ｌの注入毎に行われている。
【０００８】
さらにまた、液晶ボート１０２の液晶溜め１０３に貯留した液晶Ｌは、空パネルＰへの液晶Ｌの注入により消費されるため、液晶ボート１０２の液晶溜め１０３には、新たな液晶Ｌが注入毎あるいは比較的短い注入間隔毎に補充されるようになっている。この新たな液晶Ｌを補充した場合、新たな液晶Ｌ自体に溶存気体が存在するため、通常の脱気作業に要する時間の２倍以上の脱気作業時間が必要とされている。
【０００９】
すなわち、液晶溜め１０３の貯留量が少ないと、液晶溜め１０３への液晶Ｌの注ぎ足し回数が多くなり、脱気時間が長くなる。
【００１０】
【特許文献１】特開平７−２９４９４７号公報
【特許文献２】特開２００２−４０４５０号公報
【発明の開示】
【発明が解決しようとする課題】
【００１１】
ところで、近年においては各種装置において生産性の向上が求められており、各種装置の生産性の向上の一つとして、液晶表示パネルの製造においても生産性の向上が求められている。そして、液晶表示パネルの製造における生産性の向上を図るうえで、液晶注入の生産性の向上、例えば前述した脱気作業時間の短縮、特に、新たな液晶を補充した場合の脱気作業時間の短縮を図ることのできる液晶注入装置が望まれている。
【００１２】
なお、従来の液晶注入装置１０１において、脱気作業時間の短縮を図るには、液晶溜め１０３の深さ、幅のサイズを大きくして液晶Ｌの貯留量を増加させることにより、新たな液晶Ｌを補充した場合の脱気作業の回数を少なくすることが考えられる。
【００１３】
しかしながら、液晶Ｌの貯留量を単に増加させる構成の場合には、空パネルＰの注入口Ｐ１に当接する液晶吸引保持体１０４の上部を液晶Ｌの液面より上方に保持するため、図９に示す複数の液晶吸引保持体１０４を上下方向に重ねる構成や、図１０に示す高さの高い直方体状の液晶吸引保持体１０４Ａを用いる構成としなければならず、これらの構成においては、液晶吸引保持体１０４、１０４Ａの体積が増加し、液晶吸引保持体１０４、１０４Ａの内部に存在する気体を除去するための脱気作業の時間が増加することになり、全体としては、脱気作業時間の短縮を図ることができない。
【００１４】
また、液晶注入装置の仕様によっては、液晶の帯電を非常に嫌うものがある。帯電防止手段として、アミン系のドーパント成分を液晶中に添加し、液晶の比抵抗を下げ、液晶が帯電しにくくするものが知られている。しかしながら、グラスファイバーを用いた液晶吸引保持体では、ガラス表面の水酸基にアミン系のドーパント成分が吸着され、液晶表示パネル内へのドーパント成分量が少なくなり、十分な帯電防止機能が得られないことが起こるという別の課題もある。フッ素樹脂系の液晶吸引保持体を用いれば、ドーパント成分がそれに吸着しないが、フッ素樹脂系の樹脂は液晶との濡れが悪く、液晶を弾いてしまい、液晶を液晶吸引保持体の上方まで吸引することができない。
【００１５】
本発明はこの点に鑑みてなされたものであり、脱気作業時間の短縮化とその短縮化による生産性の向上を容易に図るとともに、注入作業に起因した液晶特性の劣化を防止することのできる液晶注入装置を提供することを目的とする。
【課題を解決するための手段】
【００１６】
前述した目的を達成するため、特許請求の範囲の請求項１に係る本発明の液晶注入装置の特徴は、液晶が貯留される液晶溜めを具備する液晶ボートと、前記液晶溜めの液晶に浸される繊維材料を撚った液晶吸引保持体とを有している液晶注入装置において、前記繊維材料がポリオレフィンであり、前記液晶溜めの内部に、前記液晶吸引保持体を下方から支持する保持体支持部材が設けられている点にある。そして、このような構成を採用したことにより、液晶吸引保持体の体積を増加させずに液晶の貯留量を増加することができ、液晶の特性の劣化も防止することができる。
【００１７】
また、請求項２に係る本発明の液晶注入装置の特徴は、請求項１において、前記保持体支持部材が、着脱可能である点にある。そして、このような構成を採用したことにより、保持体支持部材を液晶の種類あるいは液晶を注入する液晶表示パネルの種類に応じて変更することができる。さらに、保持体支持部材を個別に洗浄することができる。
【００１８】
また、請求項３に係る本発明の液晶注入装置の特徴は、請求項１または２において、前記保持体支持部材が、ポリオレフィンにより形成されている点にある。そして、このような構成を採用したことにより、アミン系のドーパント成分を含有する液晶を用いた場合、ドーパント成分を吸着することがないので、液晶の機能を確実に保持することができる。さらに、液晶が保持体支持部材の表面を濡らす濡れ性が強くなるので、保持体支持部材と液晶保持部材との接触部に液晶を誘導しやすくなる。
【００１９】
また、請求項４に係る本発明の液晶注入装置の特徴は、請求項１ないし３のいずれか１項において、前記保持体支持部材が、棒状であり、かつその長手方向に対して直交する幅方向の断面形状が前記液晶保持体と対向する上辺が底辺より短い台形状である点にある。そして、このような構成を採用したことにより、液晶の液面が保持体支持部材の上端より下がった場合においても、保持体支持部材と液晶保持部材との接触部に液晶を誘導することができる。
【００２０】
また、請求項５に係る本発明の液晶注入装置の特徴は、請求項１ないし４のいずれか１項において、前記保持体支持部材の表面に、液晶を前記液晶吸引保持体と前記保持体支持部材との接触部に導く液晶誘導手段が設けられている点にある。そして、このような構成を採用したことにより、保持体支持部材と液晶保持部材との接触部に液晶を円滑に誘導することができる。
【００２１】
また、請求項６に係る本発明の液晶注入装置の特徴は、請求項１ないし５のいずれか１項において、前記液晶溜めの内部に、前記液晶吸引保持体の水平方向の位置決めを行う側方ガイドが設けられている点にある。そして、このような構成を採用したことにより、液晶吸引保持体が保持体支持部材から脱落するのを確実かつ容易に防止することができる。
【発明の効果】
【００２２】
本発明の液晶注入装置によれば、脱気作業時間の短縮化とその短縮化による生産性の向上を容易に図ることができるなどの極めて優れた効果を奏する。
【発明を実施するための最良の形態】
【００２３】
以下、本発明を図面に示す実施形態により説明する。なお、前述した従来のものと同一の構成については図面中に同一の符号を付す。
【００２４】
図１および図２は本発明に係る液晶注入装置の第１実施形態を示すものであり、図１は要部構成を示す正面図、図２は液晶ボートの平面図である。
【００２５】
図１および図２に示すように、本実施形態の液晶注入装置１は、液晶ボート２を有している。この液晶ボート２は、図１に示すように、減圧槽Ｖの内部に配置されている。
【００２６】
図１に示すように、液晶ボート２の上面には、液晶Ｌを貯留するための液晶溜め３が凹設されている。この液晶溜め３は、その深さおよび幅のサイズが従来より大きく形成されており、液晶Ｌの貯留量が従来より多く、例えば従来の２倍程度となるように形成されている。そして、液晶溜め３には、液晶吸引保持体４が液晶溜め３の底面３ａに設けられた保持体支持部材５によって下方から支持されている。
【００２７】
前記液晶吸引保持体４は、液晶Ｌを吸い上げて湿潤状態に保持するためのものであり、繊維材料を撚って円柱状に形成されている。この繊維材料としては、液晶Ｌとの濡れ性に優れ、アミン系のドーパント成分を吸着しないポリオレフィンがよく、ポリオレフィンとして、ポリエチレン（ＰＥ）、ポリプロピレン（ＰＰ）、エチレン−プロピレン共重合体などを挙げることができる。
【００２８】
特に、液晶Ｌの比抵抗を下げるアミン系のドーパント成分を含有する液晶Ｌを用る場合には、アミン系のドーパント成分が繊維に吸着して液晶Ｌの帯電解消時間が延びてしまうのを防止するため、アミン系のドーパント成分が吸着しない
ポリエチレン、ポリプロピレンが好ましい。
【００２９】
前記保持体支持部材５は、液晶吸引保持体４の体積を増加させずに液晶Ｌの貯留量を増加させるためのものであり、保持体支持部材５と同一サイズの円柱状に形成されているとともに、液晶溜め３の底面３ａに着脱可能に設けられている。
【００３０】
前記保持体支持部材５の材料としては、ステンレス、フッ素樹脂、ポリオレフィンなどから選択使用できる。
【００３１】
なお、液晶Ｌの比抵抗を下げるアミン系のドーパント成分を含有する液晶Ｌを用る場合には、ポリエチレン、ポリプロピレンなどのポリオレフィンから選択使用することがアミン系のドーパント成分を吸着しないという意味で好ましい。
【００３２】
また、保持体支持部材５の断面形状としては、円形に限らず、楕円形、角形としてもよい。さらに、保持体支持部材５としては、液晶溜め３の底面に一体形成してもよい。
【００３３】
前記保持体支持部材５の変形例を図３に示す。図３に示す保持体支持部材５ａは、断面形状が四角形の角棒状としたものである。
【００３４】
前記保持体支持部材５の他の変形例を図４に示す。図４に示す保持体支持部材５ｂは、断面形状が四角形の角棒状とするとともに、液晶溜め３の底面３ａに一体形成したものである。
【００３５】
前記液晶溜め３には、液晶吸引保持体４の水平方向の位置決めを行う側方ガイド６が設けられている。本実施形態の側方ガイド６は、左右一対とされており、液晶溜め３の底面３ａに液晶吸引保持体４および保持体支持部材５の長手方向に沿って配置されている。また、各側方ガイド６の液晶吸引保持体４および保持体支持部材５の長手方向に対して直交する間隔は、液晶吸引保持体４および保持体支持部材５の最大幅寸法より若干大きく形成されており、各側方ガイド６の相互間に、液晶吸引保持体４および保持体支持部材５が配置可能に形成されている。また、各側方ガイド６は、長手方向に分割形成されており、側方ガイド６の両側に位置する液晶Ｌが相互に自由に流動することができるようになっている。
【００３６】
なお、側方ガイド６としては、一枚の平板により形成してもよい。この場合、平板の液晶溜め３の底面３ａ側に位置する下端に溝を設けたり、平板に複数の貫通孔を設けるなどして、側方ガイド６の両側に位置する液晶Ｌを相互に自由に流動させることが肝要である。
【００３７】
また、側方ガイド６としては、液晶吸引保持体４の水平方向の位置決めを行うことのできる構成、例えば液晶溜め３の底面３ａの液晶吸引保持体４および保持体支持部材５の配設予定領域の両側に、複数のピンを配列する構成としてもよい。勿論、側方ガイド６を液晶溜め３の底面３ａに着脱自在としてもよい。
【００３８】
また、減圧槽Ｖの内部には、従来公知のパネル移動手段（図示せず）が配設されており、減圧下において、空の液晶表示パネルである空パネルＰの注入口Ｐ１を液晶ボート２の液晶溜め３に配置した液晶吸引保持体４に向かって接離することができるようになっている。
【００３９】
なお、本実施形態の液晶ボート２は、複数の空パネルＰに液晶Ｌの注入を同時に行う場合、前述した空パネルＰの注入口Ｐ１毎に設けることが、注入口Ｐ１の位置合わせを容易にできるという意味で好ましい。
【００４０】
つぎに、前述した構成からなる本実施形態の作用について説明する。
【００４１】
本実施形態の液晶注入装置１を用いた空パネルＰへの液晶注入は、従来の液晶注入装置１０１と同様に、空パネルＰの注入口Ｐ１を、液晶吸引保持体４と対向させるように減圧槽Ｖの内部の上方に配置し、その後減圧槽Ｖの内部を液晶Ｌの注入に必要な真空度に達するまで減圧する。ついで、減圧槽Ｖを減圧した状態で、図示しないパネル移動手段を駆動して、図１に想像線にて示すように、空パネルＰを下方に移動して、その注入口Ｐ１を液晶吸引保持体４に接触させる。ついで、減圧槽Ｖの減圧状態を解除して減圧槽Ｖの内部を大気圧に戻すことにより、毛細管現象と圧力差とを利用して液晶溜め３に貯留された液晶Ｌを、注入口Ｐ１を介して空パネルＰの内部に送り込んで注入するようになっている。
【００４２】
また、本実施形態の液晶注入装置１によれば、液晶溜め３の内部に、液晶吸引保持体４を下方から支持する保持体支持部材５が設けられているので、液晶吸引保持体４の体積を増加させずに液晶Ｌの貯留量を増加することができる。その結果、前述した脱気作業時間、特に、新たな液晶Ｌを補充した場合の脱気作業時間の短縮を図ることが容易にできるので、脱気作業時間の短縮化とその短縮化による生産性の向上を容易に図ることができる。
【００４３】
さらに、本実施形態の液晶注入装置１によれば、保持体支持部材５を着脱可能とすることにより、保持体支持部材５を液晶Ｌの種類あるいは液晶Ｌを注入する液晶表示パネルＰの種類に応じて変更することができる。なお、液晶溜め３に対して保持体支持部材５を着脱可能とすることにより、保持体支持部材５を個別に洗浄することができる。その結果、保持体支持部材５の洗浄不足による残留した液晶Ｌと使用時の新しい液晶Ｌとが混合するという不都合が生じるのを容易に防止することができる。
【００４４】
さらにまた、本実施形態の液晶注入装置１によれば、保持体支持部材５をポリエチレンあるいはポリプロピレンなどのポリオレフィンにより形成することができる。そして、このような構成とすることにより、アミン系のドーパント成分を含有する液晶Ｌを用いた場合、ドーパント成分を吸着することがないので、液晶Ｌの機能を確実に保持することができる。すなわち、注入作業に起因した液晶特性の劣化を防止することができる。さらに、ポリエチレンあるいはポリプロピレンを用いると、液晶Ｌが保持体支持部材５の表面を濡らす濡れ性が強くなるので、保持体支持部材５と液晶保持部材４との接触部に液晶Ｌを誘導しやすくなる。
【００４５】
また、本実施形態の液晶注入装置１によれば、液晶吸引保持体４の繊維材料を、ポリエチレンあるいはポリプロピレンなどのポリオレフィンにより形成することができる。そして、このような構成とすることにより、アミン系のドーパント成分を含有する液晶Ｌを用いた場合、ドーパント成分を吸着することがないので、液晶Ｌの機能を確実に保持することができる。
【００４６】
またさらに、本実施形態の液晶注入装置１によれば、液晶溜め３の内部に、少なくとも液晶吸引保持体４の水平方向の位置決めを行う側方ガイド６が設けられているので、液晶吸引保持体４が保持体支持部材５から脱落するのを確実かつ容易に防止することができる。
【００４７】
図５から図７は、本発明に係る液晶注入装置の第２実施形態を示すものであり、図５は要部構成を示す正面図、図６は保持体支持部材の平面図、図７（ａ)は図６のＡ−Ａ線に沿った断面図、図７（ｂ）は図６のＢ−Ｂ線に沿った断面図である。なお、前述した第１実施形態の液晶注入装置１と同一ないし相当する構成については図面中に同一の符号を付してある。
【００４８】
本実施形態の液晶注入装置１Ａは、図５に示すように、前述した第１実施形態の液晶注入装置１における保持体支持部材５の形状を、棒状で、かつその長手方向に対して直交する幅方向の断面形状が液晶吸引保持体４と対向する上辺が底辺より短い台形状の保持体支持部材５Ａとしたものである。また、本実施形態の保持体支持部材５Ａはポリプロピレンを材料として形成されている。勿論、保持体支持部材５Ａを液晶溜め３の底面ａに一体形成してもよい。
【００４９】
保持体支持部材５Ａの表面には、図６および図７に示すように、液晶Ｌを液晶吸引保持体４と保持体支持部材５Ａとの接触部に導く液晶誘導手段７が設けられている。
【００５０】
本実施形態の液晶誘導手段７は、上部が開口の多数の横凹溝７ａと、上部が開口の１本の縦凹溝７ｂから形成されている。横凹溝７ａは、図６および図７（ｂ）に示すように、保持体支持部材５Ａの斜面と上面とを接続するように連続的に形成されており、保持体支持部材５Ａの長手方向に沿って配列されている。また、縦凹溝７ｂは、図６および図７（ａ）に示すように、保持体支持部材５Ａの上面の幅方向の中央に配置され、横凹溝７ａと交差するように長手方向に連続的に形成されている。この縦凹溝７ｂは、横凹溝７ａから誘導供給された液晶Ｌを上面における保持体支持部材５Ａの長手方向へ誘導供給するためのものであり、横凹溝７ａと連結されている。
【００５１】
なお、横凹溝７ａ、縦凹溝７ｂの断面形状としては、四角形、半円形および半楕円形などの各種の形状から設計コンセプトなどの必要に応じて選択使用することができる。
【００５２】
また、横凹溝７ａ、縦凹溝７ｂの幅寸法および深さ寸法ならびに断面形状は、液晶Ｌの毛細管現象を発揮させることのできる寸法および形状とすることが肝要である。
【００５３】
なお、液晶誘導手段７としては、保持体支持部材５Ａの表面粗さを粗くする構成としてもよい。
【００５４】
また、保持体支持部材５Ａの断面形状としては、少なくとも液晶Ｌの液面が、保持体支持部材５Ａの上端より下方に位置した場合においても、液晶Ｌを液晶吸引保持体４と保持体支持部材５Ａとの接触部に導くのに有効な形状、例えば上方に凸の曲面とすることができる。
【００５５】
その他の構成については、前述した第１実施形態の液晶注入装置１と同様とされているので、その詳しい説明は省略する。
【００５６】
このような構成からなる本実施形態の液晶注入装置１Ａによれば、前述した第１実施形態の液晶注入装置１と同様の効果を奏することができるとともに、液晶誘導手段７によって、液晶Ｌの液面が保持体支持部材５Ａの上部より下がった場合においても、保持体支持部材５Ａと液晶保持部材４との接触部に液晶Ｌを円滑に誘導することができる。その結果、液晶溜め３に貯留した液晶Ｌのうち、空パネルＰへの注入に供する割合を増加できるので、液晶溜め３に貯留した液晶Ｌの歩留まりを向上できる。すなわち、液晶溜め３に貯留した液晶Ｌの有効使用量を増加できる。言い換えると、液晶溜め３に新たな液晶Ｌを補充する際の量を削減することができる。
【００５７】
また、本実施形態の液晶注入装置１Ａの液晶誘導手段７は、保持体支持部材５Ａの表面を加工することにより形成されているので、液晶Ｌが接触した際に、毛細管現象を発揮させることのできる形状を確実かつ容易に設けることができる。
【００５８】
さらに、本実施形態の液晶注入装置１Ａの液晶誘導手段７は、保持体支持部材５Ａの表面を加工することにより形成されているので、液晶Ｌの洗浄を容易に行うことができるので、洗浄不足による残留した液晶Ｌと使用時の新しい液晶Ｌとが混合するという不都合が生じるのを容易に防止することができる。
【００５９】
なお、本発明は、前述した各実施形態に限定されるものではなく、必要に応じて種々の変更が可能である。
【図面の簡単な説明】
【００６０】
【図１】本発明に係る液晶注入装置の第１実施形態の要部構成をに示す正面図
【図２】図１の液晶ボートの平面図
【図３】図１の保持体支持部材の変形例を示す断面図
【図４】図１の保持体支持部材の他の変形例を示す断面図
【図５】本発明に係る液晶注入装置の第２実施形態の要部構成を示す正面図
【図６】図５の保持体支持部材の拡大平面図
【図７】（ａ）は図６のＡ−Ａ線に沿った断面図、（ｂ）は図６のＢ−Ｂ線に沿った断面図
【図８】従来の液晶注入装置の要部構成を示す正面図
【図９】従来の液晶注入装置における液晶の貯留量を増加させる構成の一例を示す断面図
【図１０】従来の液晶注入装置における液晶の貯留量を増加させる構成の他例を示す断面図
【符号の説明】
【００６１】
１、１Ａ  液晶注入装置
２  液晶ボート
３  液晶溜め
４  液晶吸引保持体
５、５ａ、５ｂ、５Ａ  保持体支持部材
６  側方ガイド
７  液晶誘導手段
７ａ  横凹溝
７ｂ  縦凹溝
Ｌ  液晶
Ｖ  減圧槽
Ｐ  空パネル
Ｐ１  注入口
【図１】
2005181601.tif 000003
【図２】
2005181601.tif 000004
【図３】
2005181601.tif 000005
【図４】
2005181601.tif 000006
【図５】
2005181601.tif 000007
【図６】
2005181601.tif 000008
【図７】
2005181601.tif 000009
【図８】
2005181601.tif 000010
【図９】
2005181601.tif 000011
【図１０】
2005181601.tif 000012